(57)【要約】      （修正有）【課題】特に第１シートと第３シートとの間に、更にスプリングを有するクッション用の第２シートを設ける構成とすることにより、使用者が腕を使う時、腕を負傷しないようサポートをすることができるクッションサポーターを提供する。【解決手段】第１シート１１と、  前記第１シート１１上に固設される第２シート１２と、  前記第２シート１２上に固設されるスプリング１３と、  前記第２シート１２上に固設され、該第２シート１２との間に前記スプリング１３を挟装する第３シート１４と、を有するクッションサポーター。【選択図】図１
0003133425.tif 000002
【実用新案登録請求の範囲】
【請求項１】
第１シート（１１）と、
前記第１シート（１１）上に固設される第２シート（１２）と、
前記第２シート（１２）上に固設されるスプリング（１３）と、
前記第２シート（１２）上に固設され、該第２シート（１２）との間に前記スプリング（１３）を挟装する第３シート（１４）と、を有することを特徴とするクッションサポーター。
【請求項２】
接合された前記第１シート（１１）と第３シート（１４）との内部に気体が充填される請求項１のクッションサポーター。
【請求項３】
前記第２シート（１２）に前記スプリング（１３）が収容される溝部（１２１）が形成される請求項１又は２のクッションサポーター。
【請求項４】
前記第２シート（１２）の内部に気体が充填されると共に、第２シート（１２）上に前記スプリング（１３）を収容する溝部（１２１）が形成される請求項１のクッションサポーター。
【請求項５】
気体が充填された第１シート（１１）と、
前記第１シート（１１）上に固設される第２シート（１２）と、
前記第２シート（１２）上に固設されるスプリング（１３）と、
前記第２シート（１２）上に固設され、該第２シート（１２）との間に前記スプリング（１３）を挟装する、気体が充填された第３シート（１４）と、を有することを特徴とするクッションサポーター。
【請求項６】
前記第２シート（１２）に前記スプリング（１３）が収容される溝部（１２１）が形成される請求項５のクッションサポーター。
【請求項７】
第１シート（１１）と、
前記第１シート（１１）上に固設される、気体が充填された第２シート（１２）と、
前記第２シート（１２）上に固設されるスプリング（１３）と、
前記第２シート（１２）上に固設され、該第２シート（１２）との間に前記スプリング（１３）を挟装する第３シート（１４）と、を有することを特徴とするクッションサポーター。
【請求項８】
前記第２シート（１２）に前記スプリング（１３）が収容される溝部（１２１）が形成される請求項７のクッションサポーター。
【請求項９】
第１シート（１１）と、
前記第１シート（１１）上に固設されるスプリング（１３）と、
前記第１シート（１１）上に固設され、該第１シート（１１）との間に前記スプリング（１３）を挟持する第２シート（１２）と、を有することを特徴とするクッションサポーター。
【請求項１０】
前記第１シート（１１）と第２シート（１２）との内部に気体が充填される請求項９のクッションサポーター。
【請求項１１】
前記第１シート（１１）と第２シート（１２）との間に第３シート（１４）が固設され、該第３シート（１４）に前記スプリング（１３）が収容される溝部（１２１）が形成される請求項９又は１０のクッションサポーター。
【請求項１２】
前記第３シート（１４）の内部に気体が充填されると共に、該第３シート（１４）に前記スプリング（１３）が収容される溝部（１２１）が形成される請求項９のクッションサポーター。
【請求項１３】
第１シート（１１）と、
前記第１シート（１１）上に固設される第２シート（１２）と、
前記第２シート（１２）上に固設されるスプリング（１３）と、を有することを特徴とするクッションサポーター。
【請求項１４】
接合された前記第１シート（１１）と第２シート（１２）との内部に気体が充填される請求項１３のクッションサポーター。
【請求項１５】
前記第２シート（１２）上に第３シート（１４）が固設され、該第３シート（１４）に前記スプリング（１３）が収容される溝部（１２１）が形成される請求項１３又は１４のクッションサポーター。
【請求項１６】
前記第３シート（１４）の内部に気体が充填されると共に、該第３シート（１４）に前記スプリング（１３）が収容される溝部（１２１）が形成される請求項１３のクッションサポーター。
【請求項１７】
第１シート（１１）と、
前記第１シート（１１）上に固設される、気体が充填された第２シート（１２）と、
前記第２シート（１２）内に固設されるスプリング（１３）と、
前記第２シート（１２）上に固設され、該第２シート（１２）との間に前記スプリング（１３）を挟装する第３シート（１４）と、を有することを特徴とするクッションサポーター。
【請求項１８】
前記第２シート（１２）に前記スプリング（１３）が収容される溝部（１２１）が形成される請求項１７のクッションサポーター。
【請求項１９】
前記スプリング（１３）が弾性を有する他の弾性部材である請求項１７のクッションサポーター。
【考案の詳細な説明】
【技術分野】
【０００１】
本考案は、特に第１シートと第３シートとの間に、更にスプリングを有するクッション用の第２シートを設ける構成とすることにより、使用者が腕を使う時、腕を負傷しないようサポートをすることができるクッションサポーターに関するものである。
【背景技術】
【０００２】
図９に示すように、従来のサポーター（６）は、シート状の本体（６１）を有し、該本体（６１）上にホルダー（６２）が設けられ、使用者は、該ホルダー（６２）を利用して、サポーター（６）を腕に適度に締付けて固定する。これにより、使用者が腕に力を入れたとき、前記サポーター（６）により腕を保護することができる。
【考案の開示】
【考案が解決しようとする課題】
【０００３】
しかしながら、前記従来のサポーターは、単にシート状の本体を腕に締め付け固定するだけであることから、その効果は非常に少ないので、更に改良する必要がある。
【課題を解決するための手段】
【０００４】
本考案に係る請求項１は、第１シート（１１）と、
前記第１シート（１１）上に固設される第２シート（１２）と、
前記第２シート（１２）上に固設されるスプリング（１３）と、
前記第２シート（１２）上に固設され、該第２シート（１２）との間に前記スプリング（１３）を挟装する第３シート（１４）と、を有することを特徴とするクッションサポーターを提供するものであり、
本考案に係る請求項２は、接合された前記第１シート（１１）と第３シート（１４）との内部に気体が充填される請求項１のクッションサポーターを提供するものであり、
本考案に係る請求項３は、前記第２シート（１２）に前記スプリング（１３）が収容される溝部（１２１）が形成される請求項１又は２のクッションサポーターを提供するものであり、
本考案に係る請求項４は、前記第２シート（１２）の内部に気体が充填されると共に、第２シート（１２）上に前記スプリング（１３）を収容する溝部（１２１）が形成される請求項１のクッションサポーターを提供するものであり、
本考案に係る請求項５は、気体が充填された第１シート（１１）と、
前記第１シート（１１）上に固設される第２シート（１２）と、
前記第２シート（１２）上に固設されるスプリング（１３）と、
前記第２シート（１２）上に固設され、該第２シート（１２）との間に前記スプリング（１３）を挟装する、気体が充填された第３シート（１４）と、を有することを特徴とするクッションサポーターを提供するものであり、
本考案に係る請求項６は、前記第２シート（１２）に前記スプリング（１３）が収容される溝部（１２１）が形成される請求項５のクッションサポーターを提供するものであり、
本考案に係る請求項７は、第１シート（１１）と、
前記第１シート（１１）上に固設される、気体が充填された第２シート（１２）と、
前記第２シート（１２）上に固設されるスプリング（１３）と、
前記第２シート（１２）上に固設され、該第２シート（１２）との間に前記スプリング（１３）を挟装する第３シート（１４）と、を有することを特徴とするクッションサポーターを提供するものであり、
本考案に係る請求項８は、前記第２シート（１２）に前記スプリング（１３）が収容される溝部（１２１）が形成される請求項７のクッションサポーターを提供するものであり、
本考案に係る請求項９は、第１シート（１１）と、
前記第１シート（１１）上に固設されるスプリング（１３）と、
前記第１シート（１１）上に固設され、該第１シート（１１）との間に前記スプリング（１３）を挟持する第２シート（１２）と、を有することを特徴とするクッションサポーターを提供するものであり、
本考案に係る請求項１０は、前記第１シート（１１）と第２シート（１２）との内部に気体が充填される請求項９のクッションサポーターを提供するものであり、
本考案に係る請求項１１は、前記第１シート（１１）と第２シート（１２）との間に第３シート（１４）が固設され、該第３シート（１４）に前記スプリング（１３）が収容される溝部（１２１）が形成される請求項９又は１０のクッションサポーターを提供するものであり、
本考案に係る請求項１２は、前記第３シート（１４）の内部に気体が充填されると共に、該第３シート（１４）に前記スプリング（１３）が収容される溝部（１２１）が形成される請求項９のクッションサポーターを提供するものであり、
本考案に係る請求項１３は、第１シート（１１）と、
前記第１シート（１１）上に固設される第２シート（１２）と、
前記第２シート（１２）上に固設されるスプリング（１３）と、を有することを特徴とするクッションサポーターを提供するものであり、
本考案に係る請求項１４は、接合された前記第１シート（１１）と第２シート（１２）との内部に気体が充填される請求項１３のクッションサポーターを提供するものであり、
本考案に係る請求項１５は、前記第２シート（１２）上に第３シート（１４）が固設され、該第３シート（１４）に前記スプリング（１３）が収容される溝部（１２１）が形成される請求項１３又は１４のクッションサポーターを提供するものであり、
本考案に係る請求項１６は、前記第３シート（１４）の内部に気体が充填されると共に、該第３シート（１４）に前記スプリング（１３）が収容される溝部（１２１）が形成される請求項１３のクッションサポーターを提供するものであり、
本考案に係る請求項１７は、第１シート（１１）と、
前記第１シート（１１）上に固設される、気体が充填された第２シート（１２）と、
前記第２シート（１２）内に固設されるスプリング（１３）と、
前記第２シート（１２）上に固設され、該第２シート（１２）との間に前記スプリング（１３）を挟装する第３シート（１４）と、を有することを特徴とするクッションサポーターを提供するものであり、
本考案に係る請求項１８は、前記第２シート（１２）に前記スプリング（１３）が収容される溝部（１２１）が形成される請求項１７のクッションサポーターを提供するものであり、
本考案に係る請求項１９は、前記スプリング（１３）が弾性を有する他の弾性部材である請求項１７のクッションサポーターを提供するものである。
【考案の効果】
【０００５】
本考案は上記の課題を解決するものであり、第１シート（１１）と、前記第１シート（１１）上に固設される第２シート（１２）と、前記第２シート（１２）上に形成される溝部（１２１）に固設されるスプリング（１３）と、前記第２シート（１２）上に固設され、該第２シート（１２）との間に前記スプリング（１３）を挟装する第３シート（１４）と、を有する構成であるので、使用者が腕を使う時、腕を負傷しないようサポートをすることができる。
【考案を実施するための最良の形態】
【０００６】
以下、添付図面を参照して本考案の好適な実施の形態を詳細に説明する。
【実施例】
【０００７】
図１は本考案に係るクッションサポーターの第１実施例の分解斜視図であり、図２は本考案に係るクッションサポーターの第２実施例の分解斜視図であり、図３は本考案に係るクッションサポーターの組立て後の平面透視図であり、図４は本考案に係るクッションサポーターの第１実施例の部分側面断面図であり、図５は本考案に係るクッションサポーターの第３実施例の部分側面断面図であり、図６は本考案に係るクッションサポーターの第４実施例の分解斜視図であり、図７は本考案に係るクッションサポーターの使用状態図であり、図８は本考案に係るクッションサポーターにおける第２シートの他の使用状態を示す分解斜視図である。
【０００８】
図１に示すように、本考案に係るクッションサポーターの第１実施例は、第１シート（１１）と、該第１シート（１１）上に固設される第２シート（１２）と、該第２シート（１２）上に固設される第３シート（１４）とを有し、その内、該第１シート（１１）は、本実施例中において下部クッションであり、該第２シート（１２）は、中段クッションであり、該第３シート（１４）は、上部クッションである。更に本実施例中では、前記第２シート（１２）と第３シート（１４）との間にスプリング（１３）が設置される。
【０００９】
また、本考案によれば、上部クッションである前記第３シート（１４）と下部クッションである第１シート（１１）とを異なるサイズとしてもよいが、それらは似通った材料からなるので、前記第３シート（１４）と第１シート（１１）とを重着すると共に、第２シート（１２）とスプリング（１３）を、第３シート（１４）と第１シート（１１）との間に挟装することができる。
【００１０】
図２に示すように、本考案に係るクッションサポーターの第２実施例においては、第２シート（１２）の中央に該スプリング（１３）のサイズと対応する溝部（１２１）が形成され、それにより、該溝部（１２１）にスプリング（１３）が安定的に収容される。
【００１１】
図３及び図４に示すように、本考案のクッションサポーターを組み立てる時は、第２シート（１２）を第１シート（１１）上に固設すると共に、スプリング（１３）を第２シート（１２）上に配置し、第３シート（１４）を第１シート（１１）と結合させることにより、該スプリング（１３）を第３シート（１４）と第２シート（１２）との間に挟装する。
【００１２】
更に、前記第３シート（１４）、第２シート（１２）及び第１シート（１１）の間の結合方式は、接着、縫合或いは各業界で用いられているその他の従来の方式を採用することができるが、本実施例中では、縫合方式を採用しているので、第２シート（１２）の周縁に沿って、第３シート（１４）及び第１シート（１１）上にも縫い目（１２２）が形成される。故に、この構成によれば、図４に示すように、前記第３シート（１４）と第１シート（１１）との内部における、第２シート（１２）以外の部分に気体を充填することができる。
【００１３】
図５に示すように、本考案に係るクッションサポーターの第３実施例においては、前記第２実施例とは異なり、第２シート（１２）内にのみ気体が充填され、第３シート（１４）と第１シート（１１）の内部に気体は充填されないが、スプリング（１３）は、第２シート（１２）に結合される。
【００１４】
図６に示すように、本考案に係るクッションサポーターの第４実施例においては、第１シート（１１）に第３シート（１４）が直接に固設されると共に、該第３シート（１４）上に第２シート（１２）が固設され、該第２シート（１２）の中央に形成される溝部（１２１）にスプリング（１３）が収容される。
【００１５】
図７に示すように、本考案に係るクッションサポーターを使用する時は、ベルクロを有するベルト（２０）に本考案に係るクッションサポーターを固設し、該ベルト（２０）を腕に巻きつけてベルクロにより締付け固定する。本考案の構成によれば、サポーター内に気体が充填されるので、腕を曲げ伸ばしする時、クッションであるサポーター内の気体が流動するので、腕を保護することができ、更に、第２シート（１２）上に設置されるスプリング（１３）は、使用者の腕の動作をサポートすることができる。
【００１６】
図８に示すように、本考案に係るクッションサポーターでは、射出成形によりスプリング（１３）を第２シート（１２）内に固設してもよく、該スプリング（１３）は弾性を有する他の弾性シートであってもよい。
【００１７】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１８】
【図１】本考案に係るクッションサポーターの第１実施例の分解斜視図である。
【図２】本考案に係るクッションサポーターの第２実施例の分解斜視図である。
【図３】本考案に係るクッションサポーターの組立て後の平面透視図である。
【図４】本考案に係るクッションサポーターの第１実施例の部分側面断面図である。
【図５】本考案に係るクッションサポーターの第３実施例の部分側面断面図である。
【図６】本考案に係るクッションサポーターの第４実施例の分解斜視図である。
【図７】本考案に係るクッションサポーターの使用状態図である。
【図８】本考案に係るクッションサポーターにおける第２シートの他の使用状態を示す分解斜視図である。
【図９】従来のサポーターの使用状態図である。
【符号の説明】
【００１９】
１１        第１シート
１２        第２シート
１２１      溝部
１２２      縫い目
１３        スプリング
１４        第３シート
２０        ベルト
６          サポーター
６１        本体
６２        ホルダー
【図１】
0003133425.tif 000003
【図２】
0003133425.tif 000004
【図３】
0003133425.tif 000005
【図４】
0003133425.tif 000006
【図５】
0003133425.tif 000007
【図６】
0003133425.tif 000008
【図７】
0003133425.tif 000009
【図８】
0003133425.tif 000010
【図９】
0003133425.tif 000011